【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
利用者を撮影した複数の画像を用いて作成された印刷画像を写真プリント用紙に印刷する写真プリント作成方法であって、
利用者を撮影した複数の前記画像を用いてそれぞれ複数の合成画像を生成するステップと、
複数の前記合成画像が並べられた配列印刷画像を生成するステップと、
複数の前記合成画像の中から選択された一の前記合成画像を、前記配列印刷画像に並べられる前記合成画像より大きく印刷する拡大印刷画像を生成するステップと、
前記配列印刷画像を前記写真プリント用紙の配列印刷領域に印刷し、前記拡大印刷画像を前記写真プリント用紙の拡大印刷領域に印刷するステップと、を備え、
前記拡大印刷画像を生成するステップは、選択された一の前記合成画像の中の利用者の顔を、前記配列印刷画像に並べられる前記合成画像の中の利用者の顔より大きく印刷するとともに、前記拡大印刷領域内に位置する前記合成画像の部分は印刷し、前記拡大印刷領域内からはみ出る前記合成画像の部分は印刷しない処理を含み、
前記配列印刷画像に含まれる複数の前記合成画像の輪郭は四角形であり、
前記拡大印刷領域の輪郭は、前記合成画像の輪郭とは異なる、写真プリント作成方法。
【請求項２】
利用者を撮影した複数の前記画像には、利用者の上半身が撮影されたアップ画像と、利用者の全身が撮影された全身画像とを含み、
前記アップ画像を用いた前記合成画像を用いて前記拡大印刷画像を生成する場合と、前記全身画像を用いた前記合成画像を用いて前記拡大印刷画像を生成する場合とで、前記配列印刷画像に並べられる前記合成画像より大きく印刷するよう、それぞれ異なる倍率が設定されている、請求項１に記載の写真プリント作成方法。
【請求項３】
前記拡大印刷領域の輪郭は、円形、五角形、六角形、八角形、九角形、十角形、ハート形、および、楕円形のいずれかである、請求項１または請求項２に記載の写真プリント作成方法。
【請求項４】
さらに、利用者から編集画像の入力を受け付けるらくがきステップを備え、
前記配列印刷画像に並べられる複数の前記合成画像には前記らくがきステップで入力された編集画像を合成し、前記拡大印刷画像には前記らくがきステップで入力された編集画像を合成しない、請求項１から請求項３のいずれか１項に記載の写真プリント作成方法。
【請求項５】
利用者を撮影した複数の画像を用いて作成された印刷画像を写真プリント用紙に印刷する写真プリント作成装置であって、
利用者を撮影した複数の前記画像を用いてそれぞれ複数の合成画像を生成する手段と、
複数の前記合成画像が並べられた配列印刷画像を生成する手段と、
複数の前記合成画像の中から選択された一の前記合成画像を、前記配列印刷画像に並べられる前記合成画像より大きく印刷する拡大印刷画像を生成する手段と、
前記配列印刷画像を前記写真プリント用紙の配列印刷領域に印刷し、前記拡大印刷画像を前記写真プリント用紙の拡大印刷領域に印刷する手段と、を備え、
前記拡大印刷画像を生成する手段は、選択された一の前記合成画像の中の利用者の顔を、前記配列印刷画像に並べられる前記合成画像の中の利用者の顔より大きく印刷するとともに、前記拡大印刷領域内に位置する前記合成画像の部分は印刷し、前記拡大印刷領域内からはみ出る前記合成画像の部分は印刷しない処理を含み、
前記配列印刷画像に含まれる複数の前記合成画像の輪郭は四角形であり、
前記拡大印刷領域の輪郭は、前記合成画像の輪郭とは異なる、写真プリント作成装置。
【手続補正２】
【補正対象書類名】明細書
【補正対象項目名】００１０
【補正方法】変更
【補正の内容】
【００１０】
利用者を撮影した複数の画像を用いて作成された印刷画像を写真プリント用紙に印刷する写真プリント作成方法であって、利用者を撮影した複数の上記画像を用いてそれぞれ複数の合成画像を生成する手段と、複数の上記合成画像が並べられた配列印刷画像を生成する手段と、複数の上記合成画像の中から選択された一の上記合成画像を、上記配列印刷画像に並べられる上記合成画像より大きく印刷する拡大印刷画像を生成する手段と、上記配列印刷画像を上記写真プリント用紙の配列印刷領域に印刷し、上記拡大印刷画像を上記写真プリント用紙の拡大印刷領域に印刷する手段と、を備え、上記拡大印刷画像を生成する手段は、選択された一の上記合成画像の中の利用者の顔を、上記配列印刷画像に並べられる上記合成画像の中の利用者の顔より大きく印刷するとともに、上記拡大印刷領域内に位置する上記合成画像の部分は印刷し、上記拡大印刷領域内からはみ出る上記合成画像の部分は印刷しない処理を含み、上記配列印刷画像に含まれる複数の上記合成画像の輪郭は四角形であり、上記拡大印刷領域の輪郭は、上記合成画像の輪郭とは異なる。
【手続補正３】
【補正対象書類名】明細書
【補正対象項目名】００１１
【補正方法】変更
【補正の内容】
【００１１】
他の形態では、利用者を撮影した複数の上記画像には、利用者の上半身が撮影されたアップ画像と、利用者の全身が撮影された全身画像とを含み、上記アップ画像を用いた上記合成画像を用いて上記拡大印刷画像を生成する場合と、上記全身画像を用いた上記合成画像を用いて上記拡大印刷画像を生成する場合とで、上記配列印刷画像に並べられる上記合成画像より大きく印刷するよう、それぞれ異なる倍率が設定されている。
【手続補正４】
【補正対象書類名】明細書
【補正対象項目名】００１２
【補正方法】変更
【補正の内容】
【００１２】
他の形態では、上記拡大印刷領域の輪郭は、円形、五角形、六角形、八角形、九角形、十角形、ハート形、および、楕円形のいずれかである。
【手続補正５】
【補正対象書類名】明細書
【補正対象項目名】００１３
【補正方法】変更
【補正の内容】
【００１３】
他の形態では、さらに、利用者から編集画像の入力を受け付けるらくがきステップを備え、上記配列印刷画像に並べられる複数の上記合成画像には上記らくがきステップで入力された編集画像を合成し、上記拡大印刷画像には上記らくがきステップで入力された編集画像を合成しない。
【手続補正６】
【補正対象書類名】明細書
【補正対象項目名】００１４
【補正方法】変更
【補正の内容】
【００１４】
利用者を撮影した複数の画像を用いて作成された印刷画像を写真プリント用紙に印刷する写真プリント作成装置であって、利用者を撮影した複数の上記画像を用いてそれぞれ複数の合成画像を生成する手段と、複数の上記合成画像が並べられた配列印刷画像を生成する手段と、複数の上記合成画像の中から選択された一の上記合成画像を、上記配列印刷画像に並べられる上記合成画像より大きく印刷する拡大印刷画像を生成する手段と、上記配列印刷画像を上記写真プリント用紙の配列印刷領域に印刷し、上記拡大印刷画像を上記写真プリント用紙の拡大印刷領域に印刷する手段と、を備え、上記拡大印刷画像を生成する手段は、選択された一の上記合成画像の中の利用者の顔を、上記配列印刷画像に並べられる上記合成画像の中の利用者の顔より大きく印刷するとともに、上記拡大印刷領域内に位置する上記合成画像の部分は印刷し、上記拡大印刷領域内からはみ出る上記合成画像の部分は印刷しない処理を含み、上記配列印刷画像に含まれる複数の上記合成画像の輪郭は四角形であり、上記拡大印刷領域の輪郭は、上記合成画像の輪郭とは異なる。
【手続補正７】
【補正対象書類名】明細書
【補正対象項目名】００１５
【補正方法】削除
【補正の内容】